(57)【要約】      （修正有）【課題】冊子のデザイン性を向上させるとともに、表紙を開いた状態でのデザイン性も向上させ、高級感のある和綴じ冊子を提供する。【解決手段】表表紙４と裏表紙５の内面に、装飾が施された見返し紙３をそれぞれ貼着する。本体頁２の表側と裏側とに見返し紙と同一の装飾が施された遊び紙６をそれぞれ重ね合わせ、遊び紙付き本体頁２の背に連続する角部２ｄとに見返し紙と同一の装飾が施された装飾用紙２ａを貼着して角部２ｄとをくるむ。遊び紙付き本体頁２に、表表紙４と裏表紙５とをそれぞれ重ね合わせ、綴じ代部７を和綴じする。【選択図】図１
0003133208.tif 000002
【実用新案登録請求の範囲】
【請求項１】
複数枚の用紙を重層してなる本体頁の表裏に、表表紙と裏表紙とをそれぞれ重ね合わせ、重ね合わせた前記本体頁と表表紙及び裏表紙の綴じ代部を和綴じした和綴じ冊子において、前記表表紙と裏表紙の内面に、装飾が施された見返し紙をそれぞれ貼着し、前記本体頁の表側と裏側とに装飾が施された遊び紙をそれぞれ重ね合わせ、該遊び紙付き本体頁の背と該背に連続する角部とに、装飾が施された装飾用紙を貼着して前記背と角部とをくるみ、遊び紙付き本体頁の表裏に前記表表紙と裏表紙とをそれぞれ重ね合わせ、綴じ代部を和綴じしたことを特徴とする和綴じ冊子。
【請求項２】
前記見返し紙と、前記背と角部とに貼着する装飾用紙と、前記遊び紙の前記見返し紙に対向する面とには、同一の装飾が施されていることを特徴とする請求項１記載の和綴じ冊子。
【考案の詳細な説明】
【技術分野】
【０００１】
本発明は、本体頁に表表紙と裏表紙とを重ね合わせ、綴じ代部を和綴じした和綴じ冊子に係り、詳しくは、デザイン性に優れ高級感のある和綴じ冊子に関する。
【背景技術】
【０００２】
従来、風雅な趣を与える冊子として、重層した本体頁に表表紙と裏表紙とをそれぞれ重ね合わせ、綴じ代部を和綴じすることにより形成した和綴じ冊子が提供されている。この和綴じ冊子には、デザイン性や高級感を向上させるために、表表紙や裏表紙の表面に鞣し革を、裏面に唐紙をそれぞれ貼着するとともに、角部に当て布を取り付けたものがある（例えば、特許文献１参照。）。
【特許文献１】実公昭４７−４１５２７号公報
【考案の開示】
【考案が解決しようとする課題】
【０００３】
しかし、上述のものでは、表表紙と裏表紙とには、趣向が凝らされているものの、冊子の背の部分は重層した本体頁の端部が剥き出しとなっていた。また、遊び紙が介装されていないことから、表紙を開いた際の見栄えが悪かった。
【０００４】
そこで本考案は、冊子のデザイン性を向上させるとともに、表紙を開いた状態でのデザイン性も向上させ、高級感のある和綴じ冊子を提供することを目的としている。
【課題を解決するための手段】
【０００５】
上記の目的を達成するため本考案は、複数枚の用紙を重層してなる本体頁の表裏に、表表紙と裏表紙とをそれぞれ重ね合わせ、重ね合わせた前記本体頁と表表紙及び裏表紙の綴じ代部を和綴じした和綴じ冊子において、前記表表紙と裏表紙の内面に、装飾が施された見返し紙をそれぞれ貼着し、前記本体頁の表側と裏側とに装飾が施された遊び紙をそれぞれ重ね合わせ、該遊び紙付き本体頁の背と該背に連続する角部とに、装飾が施された装飾用紙を貼着して前記背と角部とをくるみ、遊び紙付き本体頁の表裏に前記表表紙と裏表紙とをそれぞれ重ね合わせ、綴じ代部を和綴じしたことを特徴とし、前記見返し紙と、前記背と角部とに貼着する装飾用紙と、前記遊び紙の前記見返し紙に対向する面とに、同一の装飾を施すと好適である。
【考案の効果】
【０００６】
本考案の和綴じ冊子によれば、冊子の背の部分は、重層した本体頁の端部が剥き出しになることがなく、角部とともに模様や色彩等の装飾が施された装飾用紙が貼着されることにより、外観のデザイン性を向上させることができる。また、表表紙と裏表紙の内面に装飾が施された見返し紙をそれぞれ貼着するとともに、本体頁の表側と裏側とに装飾が施された遊び紙が重ね合わされることにより、表紙を開くと、まず装飾が施された見返し紙と遊び紙とが現れることから、見栄えが向上し、高級感のあるデザイン性に優れたものとなる。
【０００７】
また、前記見返し紙と、前記背と角部とに貼着する装飾用紙と、前記遊び紙の前記見返し紙に対向する面とに、同一の模様や色彩等の装飾を施すことにより、統一感のある良好なデザインとすることができる。
【考案を実施するための最良の形態】
【０００８】
以下、本考案の一形態例を図面に基づいて詳しく説明する。図１は本考案の和綴じ冊子の説明図、図２は遊び紙付き本体頁の説明図、図３は遊び紙付き本体頁に表表紙と裏表紙とを重ね合わせる状態を示す説明図、図４は和綴じ冊子の斜視図である。
【０００９】
本形態例の和綴じ冊子１は、ノートや日記帳等として用いられるもので、複数枚の用紙２ａを重層した本体頁２と、内側に見返し紙３をそれぞれ貼着した表表紙４及び裏表紙５と、本体頁２と表表紙４との間及び本体頁２と裏表紙５との間にそれぞれ介装される遊び紙６，６とを備え、冊子長辺側の綴じ代部７が和綴じされている。
【００１０】
表表紙４と裏表紙５とは、本体頁２の用紙２ａよりも僅かに面積の大きい矩形の台紙の表面に布等を貼り、裏面に前記見返し紙３を貼着して形成され、見返し紙３には、模様（本形態例では水玉の模様）と色彩とによる装飾が印刷された装飾紙が用いられる。
【００１１】
本体頁２は、横書き用の罫線２ｂを両面に備えた縦長の用紙２ａを重層したもので、本体頁２の表側と裏側とには、それぞれ前記見返し紙３と同一の模様と色彩とが印刷された遊び紙６が印刷面を外側に向けてそれぞれ重ね合わせられる。図２に示されるように、遊び紙６，６を重ね合わせた本体頁２の綴じ代部７に設けられる背２ｃと、該背２ｃに連続する角部２ｄ，２ｄとには、該背２ｃと角部２ｄ，２ｄの綴じ代部７をくるむように、前記見返し紙３と同一の装飾が印刷された装飾紙８が貼着され、本体頁と遊び紙６，６とが仮止めされる。
【００１２】
図３に示されるように、仮止めされた遊び紙付き本体頁２には、見返し紙３をそれぞれ内側に向けた前記表表紙４と裏表紙５とが、各綴じ代部７を冊子左側に向けてそれぞれ重ね合わされ、重ね合わせた綴じ代部７が和綴じされる。和綴じは周知の方法で行われ、綴じ代部７に所定の間隔で目打ち等で穿設された４つの貫通孔に、周知の順番で綴糸７ａを挿通した後、糸止めすることによって綴じられる。
【００１３】
このように形成された和綴じ冊子１では、背２ｃの部分は、重層した本体頁２が剥き出しになることがなく、角部２ｄ，２ｄとともに装飾用紙２ａでくるまれることにより、外観のデザイン性を向上させることができる。また、表表紙４と裏表紙５の内面に、模様と色彩とによる装飾が施された見返し紙３をそれぞれ貼着するとともに、本体頁２の表側と裏側とに同様の装飾が施された遊び紙を重ね合わせたことにより、表紙を開いた際の見栄えが向上し、デザイン性に優れ高級感のある和綴じ冊子とすることができる。特に本形態例では、見返し紙３と、装飾用紙２ａと、遊び紙６，６の見返し紙３に対向する外面とに、同一の模様と色彩とによる装飾が施されることから、統一感のある良好なデザインとすることができる。
【００１４】
尚、本考案は上述の形態例のように、見返し紙と、遊び紙と、背及び角部とに貼着する装飾用紙を同一の模様と色彩としたものに限らず、同一の模様で色彩が異なるものや、同一の色彩で模様の異なるものでも良く、さらには、見返し紙と遊び紙の絵柄を合わせて、表紙を開いた時に、連続する見返し紙と遊び紙とで一連の模様や絵柄を構成するようにしてもよい。また、見返し紙と、遊び紙と、装飾用紙とに施される装飾は、色のみでも模様のみでも良く、本体頁を構成する用紙の色や模様と異なるものであれば良い。さらに、本体頁の用紙を、写真を貼着したり収容可能な用紙としてアルバム用の冊子とすることもでき、冊子の短辺側に綴じ代部を設けても良い。また、本体頁の用紙に縦書き用の罫線を施し、冊子の右側に綴じ代部を設けることもできるとともに、冊子のサイズも任意であり、俳句や詩歌を書き留める手帳等に適用することもできる。
【図面の簡単な説明】
【００１５】
【図１】本考案の一形態例を示す和綴じ冊子の説明図である。
【図２】同じく遊び紙付き本体頁の説明図である。
【図３】同じく遊び紙付き本体頁に表表紙と裏表紙とを重ね合わせた状態を示す説明図である。
【図４】同じく和綴じ冊子の斜視図である。
【符号の説明】
【００１６】
１…和綴じ冊子、２…本体頁、２ａ…用紙、２ｂ…罫線、２ｃ…背、２ｄ…角部、３…見返し紙、４…表表紙、５…裏表紙、６…遊び紙、７…和綴じ部、７ａ…綴糸、８…装飾紙
【図１】
0003133208.tif 000003
【図２】
0003133208.tif 000004
【図３】
0003133208.tif 000005
【図４】
0003133208.tif 000006